(57)【要約】【課題】防水性の優れたイヤホン付き小型電子機器を提供する。【解決手段】本体部１０とイヤホン２０とを備えたイヤホン付き小型電子機器１であって、本体部１０は、送信回路１２を含む電子回路１１と、送信回路１２と接続された送信コイル１３と、電子回路１１と送信コイル１３とを収容するケース１４と、ケース１４の外壁に形成された取り付け部１５と、を有し、イヤホン２０は、送信コイル１３との磁界結合が可能な受信コイル２１と、受信コイル２１に接続された受信回路２２と、受信コイル２１と受信回路２２とを収容する筐体部２３と、筐体部２３の外壁に形成された被取り付け部２４と、を有し、送信コイル１３と受信コイル２１との磁界結合を利用して、電気信号を本体部１０からイヤホン２０に伝送することを特徴とする。【選択図】図１
2017038097.tif 000002
【特許請求の範囲】
【請求項１】
本体部と、
前記本体部に取り付けられるイヤホンと、
を備えたイヤホン付き小型電子機器であって、
前記本体部は、
音声信号に対応した電気信号を生成する送信回路を含む電子回路と、
前記送信回路と接続された送信コイルと、
前記電子回路と前記送信コイルとを収容するケースと、
前記ケースの外壁に形成された取り付け部と、を有し、
前記イヤホンは、
前記送信コイルとの磁界結合が可能な受信コイルと、
前記受信コイルに接続された受信回路と、
前記受信コイルと前記受信回路とを収容する筐体部と、
前記筐体部の外壁に形成された被取り付け部と、を有し、
前記送信コイルは、
前記ケースの内壁の前記取り付け部と対応する位置に配設され、
前記受信コイルは、
前記筐体部の内壁の前記被取り付け部と対応する位置に配設され、
前記送信コイルと前記受信コイルとの磁界結合を利用して、
前記電気信号を前記本体部から前記イヤホンに伝送することを特徴とするイヤホン付き小型電子機器。
【請求項２】
前記取り付け部と前記被取り付け部との少なくとも一方には、
前記筐体部を前記ケースに保持するための磁石が配設されていることを特徴とする、
請求項１に記載のイヤホン付き小型電子機器。
【請求項３】
前記取り付け部は、
前記ケースの外壁に形成された凹部を含み、
前記被取り付け部は、
前記凹部に挿入可能な凸部を含んでいることを特徴とする、
請求項１又は請求項２に記載のイヤホン付き小型電子機器。
【請求項４】
前記送信コイルと前記受信コイルとの磁界結合を利用して、
前記電気信号と共に前記受信回路を駆動するための電力を、
前記本体部から前記イヤホンに送信することを特徴とする、
請求項１ないし請求項３のいずれかに記載のイヤホン付き小型電子機器。
【発明の詳細な説明】
【技術分野】
【０００１】
本発明は、イヤホン付き小型電子機器に関し、特に、防水性の優れたイヤホン付き小型電子機器に関する。
【背景技術】
【０００２】
近年、携帯音楽プレーヤや携帯ＴＶ等のイヤホン付き小型電子機器を浴室等で使用する機会が増加しており、それに伴って、これらの小型電子機器により高い防水性が求められるようになってきている。小型電子機器の防水性に関しては、本体部にプラグ挿入用の貫通孔等を形成する必要のある、イヤホンジャック部のような部分の防水性の確保が特に重要となる。
【０００３】
イヤホンジャック部の防水性を高める技術に関しては、特許文献１に係る小型電子機器等が開示されている。図６は、特許文献１に係る小型電子機器２０１のプラグ差込部２０４の構造を示す説明図である。
【０００４】
図６に示すように、小型電子機器２０１は、イヤホン２０２のプラグ２０３を挿入するプラグ差込部２０４（イヤホンジャック部）を備えている。プラグ差込部２０４には、プラグ孔２０５が形成されており、プラグ孔２０５には、図示しない接点用の電極が配設されている。そして、プラグ２０３がプラグ孔２０５に挿入されると、接点用の電極を介して、プラグ２０３と小型電子機器２０１の本体に収容された電子回路とが電気的に接続されるようになっている。プラグ孔２０５の周囲には、防水パッキン２０６が配置されている。防水パッキン２０６は、イヤホン２０２を押圧する方向に弾性力を有している。また、防水パッキン２０６の中心部には、イヤホン２０２のプラグ２０３を通すための穴が形成されている。
【０００５】
プラグ２０３がプラグ孔２０５に挿入されると、防水パッキン２０６のうち、イヤホン２０２のプラグ２０３とプラグ差込部２０４に挟まれる部分が、挿入方向に沿って弾性変形する。そして、防水パッキン２０６の弾性変形に伴って、イヤホン２０２とプラグ差込部２０４との間の密着性が高まり、それによって、水分がプラグ孔２０５を通って本体内部へ浸入するのを抑制している。小型電子機器２０１では、このようにして、プラグ差込部２０４の防水性を高めている。
【先行技術文献】
【特許文献】
【０００６】
【特許文献１】特開２００４−１１９２８４号公報
【発明の概要】
【発明が解決しようとする課題】
【０００７】
しかしながら、特許文献１に係る小型電子機器２０１では、プラグ孔２０５が完全に塞がれている訳ではないので、例えば、イヤホン２０２のプラグ２０３がプラグ差込部２０４のプラグ孔２０５に挿入されていない場合には、防水パッキン２０６の中心部に形成された穴から水分が浸入してしまう。また、水分が水蒸気となって本体内部に浸入する場合には、プラグ２０３がプラグ孔２０５に挿入されていても十分な防水性を確保できなかった。また、防水パッキン２０６が経時劣化して、防水機能が低下する可能性もあった。
【０００８】
そして、小型電子機器２０１の内部に侵入した水分が、電子回路に影響を及ぼしたり、プラグ孔２０５に配設された接点用の電極の表面を酸化させて、プラグ２０３と電子回路との接続に影響を及ぼしたりする可能性があった。
【０００９】
本発明は、このような従来技術の実情に鑑みてなされたもので、その目的は、防水性の優れたイヤホン付き小型電子機器を提供することにある。
【課題を解決するための手段】
【００１０】
この課題を解決するために、請求項１に記載のイヤホン付き小型電子機器は、本体部と、前記本体部に取り付けられるイヤホンと、を備えたイヤホン付き小型電子機器であって、前記本体部は、音声信号に対応した電気信号を生成する送信回路を含む電子回路と、前記送信回路と接続された送信コイルと、前記電子回路と前記送信コイルとを収容するケースと、前記ケースの外壁に形成された取り付け部と、を有し、前記イヤホンは、前記送信コイルとの磁界結合が可能な受信コイルと、前記受信コイルに接続された受信回路と、前記受信コイルと前記受信回路とを収容する筐体部と、前記筐体部の外壁に形成された被取り付け部と、を有し、前記送信コイルは、前記ケースの内壁の前記取り付け部と対応する位置に配設され、前記受信コイルは、前記筐体部の内壁の前記被取り付け部と対応する位置に配設され、前記送信コイルと前記受信コイルとの磁界結合を利用して、前記電気信号を前記本体部から前記イヤホンに伝送することを特徴とする。
【００１１】
この構成のイヤホン付き小型電子機器では、送信コイルと受信コイルとの磁界結合を利用して、音声信号に対応した電気信号を本体部からイヤホンに伝送するので、本体部側の電子回路とイヤホンとを、プラグを介して接続させる必要が無くなる。そのため、イヤホン側では接続用のプラグを備える必要が無くなり、本体部側ではプラグを挿入するための貫通孔を形成する必要が無くなる。そして、本体部にプラグ挿入用の貫通孔が形成されている場合と比較して、本体部側の気密性を飛躍的に高めることができる。また、本体部側に接点用の電極を配設する必要も無いので、接点用の電極の表面が水分によって酸化することも無くなる。その結果、この構成のイヤホン付き小型電子機器は、防水性の優れたイヤホン付き小型電子機器となる。
【００１２】
請求項２に記載のイヤホン付き小型電子機器では、前記取り付け部と前記被取り付け部との少なくとも一方には、前記筐体部を前記ケースに保持するための磁石が配設されていることを特徴とする。
【００１３】
この構成のイヤホン付き小型電子機器では、取り付け部と被取り付け部との少なくとも一方には、筐体部をケースに保持するための磁石が配設されている。そのため、磁石の磁力を利用して筐体部を保持することによって、筐体部の保持を容易にすることができる。また、磁石の磁力を利用して筐体部と取り付け部との位置決めを行うことによって、筐体部と取り付け部との位置決めを容易にすることもできる。
【００１４】
請求項３に記載のイヤホン付き小型電子機器では、前記取り付け部は、前記ケースの外壁に形成された凹部を含み、前記被取り付け部は、前記凹部に挿入可能な凸部を含んでいることを特徴とする。
【００１５】
この構成のイヤホン付き小型電子機器では、取り付け部は、ケースの外壁に形成された凹部を含み、被取り付け部は、凹部に挿入可能な凸部を含んでいる。そのため、被取り付け部の凸部が取り付け部の凹部に挿入されることによって、筐体部の横ずれを防止することができる。その結果、筐体部の保持を更に容易にすることができる。
【００１６】
請求項４に記載のイヤホン付き小型電子機器では、前記送信コイルと前記受信コイルとの磁界結合を利用して、前記電気信号と共に前記受信回路を駆動するための電力を、前記本体部から前記イヤホンに送信することを特徴とする。
【００１７】
小型電子機器の防水性を改善する方法としては、例えば、本体部とイヤホンとが近距離無線通信規格に対応した無線通信装置を内蔵し、本体部とイヤホンとの無線通信を利用して音声信号を本体部からイヤホンに送信する方法も考えられる。しかしながら、このような方法では、イヤホン側に電力供給用の電池が必要となり、イヤホンが大型化すると共に、イヤホン側で電池交換の煩わしさが生じる。
【００１８】
一方、この構成のイヤホン付き小型電子機器では、送信コイルと受信コイルとの磁界結合を利用して、音声信号に対応した電気信号と共に受信回路を駆動するための電力を、本体部からイヤホンに伝送している。そのため、イヤホン側では電力供給用の電池を内蔵しなくても良い。その結果、イヤホンを小型化し易くなり、また、イヤホン側での電池交換の煩わしさを解消することができる。
【発明の効果】
【００１９】
本発明によれば、防水性の優れたイヤホン付き小型電子機器を提供することができる。
【図面の簡単な説明】
【００２０】
【図１】本発明の第１実施形態に係る小型電子機器１の構成を示す説明図である。
【図２】図１に示す小型電子機器１の回路構成を示すブロック図である。
【図３】図１に示す取り付け部１５と被取り付け部２４との構造を模式的に示す説明図である。
【図４】本発明の第２実施形態に係る小型電子機器１０１の構成を示す説明図である。
【図５】図４に示す取り付け部１１５と被取り付け部１２４との構造を模式的に示す説明図である。
【図６】特許文献１に係る小型電子機器２０１のプラグ差込部２０４の構造を示す説明図である。
【発明を実施するための形態】
【００２１】
［第１実施形態］
以下、本考案の第１実施形態について図面を参照しながら説明する。尚、各図において、Ｘ１方向を左方向、Ｘ２方向を右方向、Ｙ１方向を前方、Ｙ２方向を後方、Ｚ１方向を上方、Ｚ２方向を下方として、説明を進める。
【００２２】
次に、本実施形態に係る小型電子機器１の構成について、図１ないし図３を用いて説明する。図１は、本発明の第１実施形態に係る小型電子機器１の構成を示す説明図である。図２は、図１に示す小型電子機器１の回路構成を示すブロック図である。図３は、図１に示す取り付け部１５と被取り付け部２４との構造を模式的に示す説明図である。
【００２３】
小型電子機器１は、携帯音楽プレーヤや携帯ＴＶ等として使用されるイヤホン付き小型電子機器である。小型電子機器１は、図１に示すように、本体部１０と、本体部１０と接続されるイヤホン２０と、を備えている。
【００２４】
本体部１０は、小型電子機器１の各種の機能に対応した電子回路１１と、音声信号送信用の送信コイル１３と、電子回路１１と送信コイル１３とを収容するケース１４と、ケース１４に形成された取り付け部１５と、スイッチ等の入力手段１６と、液晶パネル等の表示手段１７と、を有している。
【００２５】
電子回路１１には、音声信号に対応した電気信号をイヤホン２０に送信する送信回路１２が含まれる。送信回路１２は、図２に示すように、信号発生回路１２ａと変調回路１２ｂと増幅回路１２ｃと制御回路１２ｄとを有している。信号発生回路１２ａは、搬送波となる電気信号を生成している。変調回路１２ｂは、信号発生回路１２ａが生成した電気信号に変調を加えて、音声信号に対応した電気信号を生成している。増幅回路１２ｃは、変調回路１２ｂが生成した電気信号を増幅している。増幅回路１２ｃは、送信コイル１３と接続されており、増幅回路１２ｃの出力信号が送信コイル１３に伝送される。制御回路１２ｄは、変調回路１２ｂを制御している。
【００２６】
送信コイル１３は、図３に示すように、コア１３ａと、コア１３ａの周囲を覆うボビン１３ｂと、ボビン１３ｂの周囲に巻き回されたコイル用の導線１３ｃと、で構成される。
コア１３ａは、円柱状の磁石である。送信コイル１３は、増幅回路１２ｃの出力信号に対応した磁界を発生させている。そして、送信コイル１３が発生させた磁界を利用して、音声信号に対応した電気信号をイヤホン２０に送信している。
【００２７】
ケース１４は、合成樹脂等の材質でできた略直方体の部材である。ケース１４は、電子回路１１と送信コイル１３とを収容すると共に、電子回路１１の周囲を覆い、電子回路１１の防水性を高めている。ケース１４の外壁１４ａには、イヤホン２０を取り付けるための取り付け部１５が形成されている。本実施形態では、図１及び図３に示すように、ケース１４の右側面の所定の領域が取り付け部１５となっている。また、図３に示すように、ケース１４の内壁１４ｂの取り付け部１５と対応する位置には、送信コイル１３が配設されている。
【００２８】
入力手段１６と表示手段１７とは、ケース１４の前面に配設されている。入力手段１６は、ユーザからの入力操作を受け付けている。表示手段１７は、各種の情報や映像を表示している。また、図示しないが、本体部１０には電池が内蔵されており、内蔵された電池が本体部１０の各種の電子回路に電力を供給している。尚、入力手段１６と表示手段１７とには防水加工が施されているが、その防水加工方法についての詳細な説明は省略する。
【００２９】
イヤホン２０は、音声信号受信用の受信コイル２１と、受信コイル２１と接続された受信回路２２と、受信コイル２１と受信回路２２とを収容する筐体部２３と、筐体部２３に形成された被取り付け部２４と、音声発生部２５と、リード線２６と、を有している。
【００３０】
受信コイル２１は、図３に示すように、コア２１ａと、コア２１ａの周囲を覆うボビン２１ｂと、ボビン２１ｂの周囲に巻き回された導線２１ｃと、で構成される。コア２１ａは、鉄等の磁性体の金属でできた円柱状の部材である。受信コイル２１は、送信コイル１３と磁界結合するためのコイルである。そして、本実施形態では、送信コイル１３と受信コイル２１との磁界結合を利用して、送信コイル１３から送信された電気信号を受信している。
【００３１】
受信回路２２は、図２に示すように、復調回路２２ａと整流回路２２ｂと定電圧回路２２ｃと、を有している。復調回路２２ａは、受信コイル２１に接続されており、受信コイル２１が受信した電気信号の一部が復調回路２２ａに伝送される。そして、復調回路２２ａは、受信コイル２１から伝送された電気信号の変調成分から音声信号を検出している。
【００３２】
整流回路２２ｂも、受信コイル２１に接続されており、受信コイル２１が受信した電気信号の一部が整流回路２２ｂにも伝送される。そして、整流回路２２ｂは、受信コイル２１から伝送された電気信号を整流して、復調回路２２ａを駆動するための電力を取り出している。定電圧回路２２ｃは、整流回路２２ｂの出力電圧を所定の電圧に変換している。定電圧回路２２ｃの出力電圧は、復調回路２２ａの電源として使用される。
【００３３】
筐体部２３は、合成樹脂等の材質でできた円柱状の部材である。筐体部２３は、受信コイル２１と受信回路２２とを収容している。筐体部２３の外壁２３ａには、本体部１０に取り付けられる被取り付け部２４が形成されている。図１及び図３に示すように、筐体部２３の左側は、ケース１４の取り付け部１５と当接する平面部分となっており、本実施形態では、この部分が被取り付け部２４となっている。また、図３に示すように、筐体部２３の内壁２３ｂの被取り付け部２４と対応する位置には、受信コイル２１が配設されている。
【００３４】
そして、本実施形態では、ケース１４の取り付け部１５と筐体部２３の被取り付け部２４とが当接することに伴って、送信コイル１３と受信コイル２１とが近接し、送信コイル１３のコア１３ａと受信コイル２１のコア２１ａとが磁力で引き合うようになる。そして、送信コイル１３のコア１３ａと受信コイル２１のコア２１ａとが磁力で引き合うことによって、筐体部２３がケース１４に保持される。
【００３５】
また、送信コイル１３と受信コイル２１とが近接することによって、送信コイル１３と受信コイル２１との磁界結合が可能となる。そして、送信コイル１３と受信コイル２１との磁界結合を利用して、送信コイル１３から受信コイル２１に音声信号に対応した電気信号が送信される。小型電子機器１では、このように、送信コイル１３と受信コイル２１との磁界結合を利用して、音声信号に対応した電気信号を本体部１０からイヤホン２０に伝送している。
【００３６】
音声発生部２５は、受信回路２２が検出した音声信号に対応した音声を発生させている。リード線２６は、受信回路２２と音声発生部２５とを接続している。尚、筐体部２３と音声発生部２５とリード線２６とには防水加工が施されているが、その防水加工方法についての詳細な説明は省略する。
【００３７】
次に、本実施形態の効果について説明する。本実施形態のような小型電子機器１において、例えば、イヤホン２０が通常のプラグ型のイヤホンであり、本体部１０にプラグ挿入用の貫通孔が形成されている場合、何らかの防水対策を講じたとしても、貫通孔の隙間を完全に塞ぐことは困難である。そのため、貫通孔の隙間から水分が浸入する可能性があった。また、貫通孔に配設された接点用の電極が、侵入した水分によって酸化する可能性もあった。
【００３８】
しかしながら、本実施形態の小型電子機器１では、送信コイル１３と受信コイル２１との磁界結合を利用して、音声信号に対応した電気信号を本体部１０からイヤホン２０に伝送するので、本体部１０側の電子回路１１とイヤホン２０とを、プラグを介して接続させる必要が無くなる。そのため、イヤホン２０側では接続用のプラグを備える必要が無くなり、本体部１０側ではプラグを挿入するための貫通孔を形成する必要が無くなる。そして、本体部１０にプラグ挿入用の貫通孔が形成されている場合と比較して、本体部１０側の気密性を飛躍的に高めることができる。また、本体部１０側に接点用の電極を配設する必要も無いので、接点用の電極が水分によって酸化することも無くなる。その結果、小型電子機器１は、防水性の優れたイヤホン付き小型電子機器となる。
【００３９】
また、本実施形態の小型電子機器１では、ケース１４の内壁１４ｂの取り付け部１５と対応する位置には、送信コイル１３が配設されている。そして、送信コイル１３のコア１３ａが筐体部２３をケース１４に保持するための磁石となっている。そのため、コア１３ａの磁力を利用して筐体部２３を保持することによって、筐体部２３の保持を容易にすることができる。また、コア１３ａの磁力を利用して筐体部２３と取り付け部１５との位置決めを行うことによって、筐体部２３と取り付け部１５との位置決めを容易にすることもできる。
【００４０】
また、本実施形態のような小型電子機器１の防水性を改善する方法としては、例えば、本体部１０とイヤホン２０とが近距離無線通信規格に対応した無線通信装置を内蔵し、本体部１０とイヤホン２０との無線通信を利用して音声信号を本体部からイヤホンに送信する方法も考えられる。しかしながら、このような方法では、イヤホン２０側に電力供給用の電池が必要となり、イヤホン２０が大型化すると共に、イヤホン２０側で電池交換の煩わしさが生じる。
【００４１】
一方、本実施形態の小型電子機器１では、送信コイル１３と受信コイル２１との磁界結合を利用して、音声信号に対応した電気信号と共に復調回路を駆動するための電力を、本体部１０からイヤホン２０に伝送している。そのため、イヤホン２０側では電力供給用の電池を内蔵しなくても良い。その結果、イヤホン２０を小型化し易くなり、また、イヤホン２０側での電池交換の煩わしさを解消することができる。
【００４２】
［第２実施形態］
以下、本発明の第２実施形態について図面を参照しながら説明する。尚、本実施形態において、前述した第１実施形態と同一の構成である場合、同一符号を付して詳細な説明は省略する。
【００４３】
まず、本発明の第２実施形態に係る小型電子機器１０１の構成について、図４及び図５を用いて説明する。図４は、本発明の第２実施形態に係る小型電子機器１０１の構成を示す説明図である。図５は、図４に示す取り付け部１１５と被取り付け部１２４との構造を模式的に示す説明図である。
【００４４】
小型電子機器１０１は、図４に示すように、本体部１０とイヤホン２０とを備えている。本体部１０は、送信回路１２を含む電子回路１１と、音声信号送信用の送信コイル１３と、電子回路１１と送信コイル１３とを収容するケース１４と、ケース１４に形成された取り付け部１１５と、入力手段１６と、表示手段１７と、を有している。
【００４５】
図４及び図５に示すように、ケース１４の右側面の外壁１４ａの所定の位置には、円柱状の凹部１１５ａが形成されており、本実施形態では、ケース１４の外壁１４ａの凹部１１５ａを含む部分が、取り付け部１１５となっている。また、図５に示すように、ケース１４の内壁１４ｂの凹部１１５ａと対応する位置には、送信コイル１３が配設されている。
【００４６】
イヤホン２０は、音声信号受信用の受信コイル２１と、受信コイル２１と接続された受信回路２２と、受信コイル２１と受信回路２２とを収容する筐体部２３と、筐体部２３に形成された被取り付け部１２４と、音声発生部２５と、リード線２６と、を有している。
【００４７】
図４及び図５に示すように、筐体部２３の外壁２３ａには、取り付け部１１５の凹部１１５ａに挿入可能な円柱状の凸部１２４ａが形成されており、本実施形態では、筐体部２３の外壁２３ａの凸部１２４ａを含む部分が、被取り付け部１２４となっている。また、図５に示すように、筐体部２３の内壁２３ｂの被取り付け部１２４と対応する位置には、受信コイル２１が配設されている。受信コイル２１のコア２１ａは、凸部１２４ａの先端付近まで延びている。
【００４８】
そして、本実施形態では、被取り付け部１２４の凸部１２４ａが取り付け部１１５の凹部１１５ａに挿入されると共に、送信コイル１３のコア１３ａと受信コイル２１のコア２１ａとが磁力で引き合うことによって、筐体部２３がケース１４に保持される。
【００４９】
次に、本実施形態の効果について説明する。本実施形態の小型電子機器１０１では、ケース１４の外壁１４ａに円柱状の凹部１１５ａが形成されており、ケース１４の外壁１４ａの凹部１１５ａを含む部分が、取り付け部１１５となっている。また、筐体部２３には、取り付け部１１５の凹部１１５ａに挿入可能な凸部１２４ａが形成されており、筐体部２３の凸部１２４ａを含む部分が、被取り付け部１２４となっている。そのため、送信コイルのコア１３ａの磁力を利用して筐体部２３を保持するだけでなく、被取り付け部１２４の凸部１２４ａが取り付け部１１５の凹部１１５ａに挿入されることによって、筐体部２３の横ずれを防止することもできる。その結果、筐体部２３の保持を更に容易にすることができる。
【００５０】
以上、本発明の実施形態について説明してきたが、本発明は上記の実施形態に限定されず、本発明の目的の範囲を逸脱しない限りにおいて適宜変更することができる。
【００５１】
例えば、本発明の実施形態において、小型電子機器１と小型電子機器１０１とは、携帯音楽プレーヤや携帯ＴＶ以外の電子機器であっても構わない。例えば、小型電子機器１と小型電子機器１０１とは、携帯情報端末や携帯ゲーム機等のような電子機器であっても構わない。また、小型電子機器１と小型電子機器１０１とは、電子機器の機能に合わせて、前述した以外の電子回路や装備を備えていても構わない。
【００５２】
また、本発明の実施形態において、送信回路１２の回路構成と受信回路２２の回路構成とは、前述した以外の回路構成であっても構わない。また、本体部１０からイヤホン２０に送信される電気信号に加えられる変調は、ＦＭ変調ではなくＡＭ変調やデジタル変調であっても構わない。
【００５３】
また、本発明の実施形態において、本体部１０は、送信コイル１３付近の磁界の変化を検出する磁界検出手段を有していても構わない。そして、磁界の変化に基づいてイヤホン２０が取り付けられたか否かを判断し、イヤホンが取り付けられていない場合には、信号発生回路１２ａや増幅回路１２ｃの機能を停止させても構わない。イヤホンが取り付けられていない場合に信号発生回路１２ａや増幅回路１２ｃの機能を停止させることによって、無駄な電力消費を抑制することができる。
【００５４】
また、本実施形態では、送信コイル１３のコア１３ａが磁石であり、受信コイル２１のコア２１ａが磁性体の金属であったが、送信コイル１３のコア１３ａが磁性体の金属であり、受信コイル２１のコア２１ａが磁石であっても構わない。また、送信コイル１３のコア１３ａと受信コイル２１のコア２１ａとが共に磁石であっても構わない。
【００５５】
また、本発明の実施形態において、送信コイル１３と受信コイル２１とが磁力で引き合うのであれば、送信コイル１３と受信コイル２１とは、前述した以外の構造のコイルであっても構わない。また、磁力以外の方法によって、筐体部２３（又は筐体部２３）をケース１４に保持させても構わない。
【符号の説明】
【００５６】
１  小型電子機器
１０  本体部
１１  電子回路
１２  送信回路
１２ａ  信号発生回路
１２ｂ  変調回路
１２ｃ  増幅回路
１２ｄ  制御回路
１３  送信コイル
１３ａ  コア
１３ｂ  ボビン
１３ｃ  導線
１４  ケース
１４ａ  外壁
１４ｂ  内壁
１５  取り付け部
１６  入力手段
１７  表示手段
２０  イヤホン
２１  受信コイル
２１ａ  コア
２１ｂ  ボビン
２１ｃ  導線
２２  受信回路
２２ａ  復調回路
２２ｂ  整流回路
２２ｃ  定電圧回路
２３  筐体部
２３ａ  外壁
２３ｂ  内壁
２４  被取り付け部
２５  音声発生部
２６  リード線
１０１  小型電子機器
１１５  取り付け部
１１５ａ  凹部
１２４  被取り付け部
１２４ａ  凸部
【図１】
2017038097.tif 000003
【図２】
2017038097.tif 000004
【図３】
2017038097.tif 000005
【図４】
2017038097.tif 000006
【図５】
2017038097.tif 000007
【図６】
2017038097.tif 000008